(57)【要約】【課題】必要に応じてキャビネット内部を視認しえる状態を制御可能とする。【解決手段】本扉１８は、光透過性の鏡板１２を備えたものであって、鏡板１２の一部に設けられて入射光を扉前方側に拡散反射する光反射部３２（Ａ）と、鏡板１２の側方に配置されて光反射部３２（Ａ）に光を照射する光照射装置２０と、光照射装置２０の照射動作を制御する制御装置２６と、を備える。【選択図】図４
2008031640.tif 000002
【特許請求の範囲】
【請求項１】
光透過性の鏡板を備えた扉において、
上記鏡板の一部に設けられて入射光を扉前方側に反射する光反射部と、
上記鏡板の側方に配置されて光反射部に光を照射する光照射装置と、
を備える、ことを特徴とする扉。
【請求項２】
上記光照射装置の照射動作を制御する制御装置、を備えることを特徴とする請求項１に記載の扉。
【請求項３】
上記鏡板に線状材および点状材の少なくとも一方を上記光反射部として備えた、ことを特徴とする請求項１または２に記載の扉。
【請求項４】
上記鏡板に設ける装飾材を上記光反射部に用いた、ことを特徴とする請求項１ないし３のいずれかに記載の扉。
【請求項５】
上記鏡板に凹部および凸部の少なくともいずれか一方を光反射部として設けた、ことを特徴とする請求項１または２に記載の扉。
【請求項６】
上記鏡板に貫通孔を光反射部として設けた、ことを特徴とする請求項１または２に記載の扉。
【請求項７】
上記光反射部を上記鏡板の内部に設ける一方、
上記光照射装置を上記鏡板の内部に光を照射しえる位置に配置した、ことを特徴とする請求項１ないし６のいずれかに記載の扉。
【請求項８】
上記光反射部を上記鏡板の表面に設ける一方、
上記光照射装置を上記鏡板の表面に設けた光反射部に向けて光を照射しえる位置に配置した、ことを特徴とする請求項１ないし６のいずれかに記載の扉。
【請求項９】
上記光反射部を上記鏡板の裏面に設ける一方、
上記光照射装置を上記鏡板の裏面に設けた光反射部に向けて光を照射しえる位置に配置した、ことを特徴とする請求項１ないし６のいずれかに記載の扉。
【請求項１０】
上記光照射装置はＬＥＤを備え、このＬＥＤはその発光面を鏡板側に向けて上記鏡板の側方に配列されている、ことを特徴とする請求項１ないし９のいずれかに記載の扉。
【請求項１１】
上記ＬＥＤの光広がり角度を調整可能とした、ことを特徴とする請求項１０に記載の扉。
【請求項１２】
上記制御装置は、上記ＬＥＤを点灯と消灯とを制御する点灯スイッチを含む、ことを特徴とする請求項１０または１１に記載の扉。
【発明の詳細な説明】
【技術分野】
【０００１】
本発明は、流し台、洗面台、吊り戸棚、その他の各種家具等のキャビネットに備えられる引き戸式、開き戸式等の各種の扉に関するものであり、特にガラスやアクリル樹脂等の光透過性材料で構成された鏡板を備えた扉に関するものである。
【背景技術】
【０００２】
上記扉を備えた家具では該扉を閉じた状態でも光透過性の鏡板を通して内部に収納されている食器やその他の物品を外部から見ることができる。そのような家具は扉をわざわざ開けることなく収納物品を確認することができるなど便利である。
【０００３】
しかしながら、上記扉は便利である反面、例えばその家具が設置されている部屋に急な訪問客を案内した場合には、当該家具内の物品を不本意に見られてしまう可能性がある。そのため、その扉を不透明な部材で構成して扉を閉じていると収納物品を外部から見ることができないようにすればよいが、それでは、日常生活に不便さを来たす。また、扉の前方側にカーテン等を配置し、訪問客がある場合ではカーテンで扉前方側を覆い隠すことが考えられるが、カーテンの設置が必要であり、また、外観の見栄えが大きく低下する。
【特許文献１】特開２００５−１５５０４１号
【発明の開示】
【発明が解決しようとする課題】
【０００４】
したがって、本発明により解決すべき課題は、外観の見栄えを低下させず、むしろ、外観の見栄えを向上させえるように来客等には収納物品の存在を知られずに済むようになし、来客等がいない通常の日常生活では収納物品を容易に視認可能として便利さを損なわずに済む扉を提供することである。
【課題を解決するための手段】
【０００５】
本発明による扉は、光透過性の鏡板を備えた扉であって、上記鏡板の一部に設けられて入射光を扉前方側に反射する光反射部と、上記鏡板の側方に配置されて光反射部に光を照射する光照射装置と、を備えることを特徴とするものである。
【０００６】
光照射装置は特に限定されない。例えばＬＥＤ、超小型豆電球、光ファイバ、等で光照射装置を構成することができる。
【０００７】
好ましくは、上記光照射装置の照射動作を制御する制御装置を備える。
【０００８】
光反射部は、照射された入射光を拡散することができることが好ましい。
【０００９】
本発明によると、上記扉を例えばカップボード等の家具に取り付けた場合、訪問客があると、まず、扉と一体または別体の制御装置により光照射装置を作動状態にする。光照射装置は作動すると上記光反射部を照射する。これによって光反射部は光照射装置からの照射光を扉前方側に反射する。その結果、カップボード等の家具内部の収納物品は外部から見えないか、あるいは見えにくくなる。この状態で、当該扉を備えた家具等が配置されている部屋に訪問客を案内すると、訪問客は扉だけを見ても扉内部の収納物品が見えないか、あるいは見えにくい。
【００１０】
この場合、光照射装置を有色照明とすると光反射部から反射光の色が意匠性を持つことになり扉の外観の見栄えが向上して好ましい。この有色照明を複数の有色の組み合わせとすると、より見栄えが向上する。
【００１１】
また、光反射部からの光の反射方向を調整することにより、収納物品を外部から見ることが、多少、可能となっても、収納物品が浮き立つように見えたりして見栄えが向上する。
【００１２】
光照射装置は例えば赤、緑、青の複数のＬＥＤの組み合わせで種々の色に反射させてもよい。あるいはこれらＬＥＤからの照射光を組み合わせて自然光としてもよい。
【００１３】
また、鏡板の表裏面に透明な光拡散シートを設けることができる。この光拡散シートは一定の入射角度を超えて入射する光を扉前方側に拡散できるものであることが好ましい。例えば片面に、微細な断面鋸歯状の凸条を形成した光拡散性プリズムシートを用いることができる。このシートの場合、扉前方側からはその透明性により扉内部の物品を視認することができるが、ＬＥＤ等の光照射装置で照射することによりその凸条で扉前方側にその照射光を拡散反射させることができる。
【００１４】
上記では、上記鏡板に線状材および点状材の少なくとも一方を備えた構成とし、それらを上記光反射部に用いてもよい。この場合、線状材や点状材を、上記鏡板に形成する装飾材で構成することができる。線状材には網状、格子状、柵状、波状等がある。線状材は長い線状、短い線状、これらの組み合わせがある。線状材を三角、多角形、等の幾何学的模様に設定することができる。点状材には円形状、楕円形状、その他の形状を含むことができる。点状材の大きさは限定されない。線状材と点状材の組み合わせを含むことができる。
【００１５】
上記では、上記鏡板に凹凸を光反射部として設けることが好ましい。鏡板の表裏面の凹凸を光反射部とする場合では、鏡板の成形時に簡単に光反射部を形成することができることになりコスト的に有利である。また、その凹凸形状も任意に設定することができるので反射効率に優れた設計あるいはユーザの要望に応じた設計も容易に行うことができる。
【００１６】
また、凹部の場合、光の照射を受ける凹部内周壁と、光の照射を受けない凹部内周壁とにより両内周壁に凹部パターンに対応した光の陰影が発生し、扉前方側から見て装飾性ないしは意匠性を得ることができるようになる。同様に、凸部の場合も、光の陰影パターンで扉前方側から見て光の陰影が発生し装飾性ないしは意匠性を得ることができるようになる。
【００１７】
上記では、鏡板に複数の貫通孔を光反射部として設けることが好ましい。鏡板にパンチング加工で光反射部としての複数の貫通孔を設ける場合では、その貫通孔の内周壁で光の陰影が発生して装飾孔として機能することができるようになる。
【００１８】
上記では、光照射装置を、上記鏡板の内部に向けて、上記鏡板の表面に向けて、あるいは、上記鏡板の裏面に向けて光を照射しえる位置に配置することが好ましい。
【００１９】
上記では、上記光照射装置はＬＥＤを備え、このＬＥＤはその発光面を鏡板側に向けて上記鏡板の側方に配列されていることが好ましい。
【００２０】
上記ＬＥＤはその光広がり角度を調整可能とすることがＬＥＤの設置個数を少なくしてＬＥＤの使用コストを抑制することができて好ましい。
【００２１】
上記制御装置は、上記ＬＥＤを点灯と消灯とを制御する点灯スイッチであることが簡単な操作で急な訪問客に気づかれにくくして扉内部を見えにくくすることができて好ましい。
【発明の効果】
【００２２】
本発明によれば、透明性の鏡板を備えた扉を備える家具等のキャビネットの内部の視認状態を制御することができる。例えば来客時には制御装置により光照射装置を作動させることにより、外観の見栄えの維持を図りつつ来客等には収納物品の存在を知られずに済み、来客等がいない通常の日常生活では制御装置の制御により光照射装置を作動停止させて、収納物品を容易に視認可能として便利さを損なわずに済む。
【発明を実施するための最良の形態】
【００２３】
以下、添付した図面を参照して、本発明の実施の形態に係る扉を説明する。このキャビネットはその一例としてカップボードに適用しているが、適用しえるキャビネットとしては洗面化粧台、流し台、その他の家具類に広く適用することができることはもちろんである。
【００２４】
図１は、実施の形態の扉を備えたカップボードの外観構成を示し、図２は、図１の要部の断面構成を示す。
【００２５】
このカップボード１０は、鏡板１２の枠の一部を構成する上下左右の框部材１４，１６で挟み込んでなる両開き戸式の扉１８を備える。左右両側で上下に延びる一対の縦框部材１４の外側面に光照射装置２０が取り付けられている。
【００２６】
光照射装置２０は縦長のＬＥＤ収納ケース２２と、このＬＥＤ収納ケース２２に収納された複数のＬＥＤ（発光ダイオード）２４とを備える。これら複数のＬＥＤ２４は縦框部材１４の外側面に縦方向に均等間隔で配置された状態でその光照射側が埋設されている。縦框部材１４にはＬＥＤ２４からの照射光を鏡板１２に導入するためその照射方向に拡径の開口１４ａが形成されている。
【００２７】
ＬＥＤ２４は赤、緑、青、のいずれか１つの有色、あるいはこれら有色の組み合わせで自然光の白色を含め各種色に発光することができる。ＬＥＤ２４の発光輝度はそれの駆動電流の大きさ等により制御することができる。
【００２８】
これらＬＥＤ２４は制御装置２６により点灯、消灯制御される。制御装置２６は複数のＬＥＤ２４の駆動電源線２４ａに共通に配線接続された点灯スイッチ２８と、この点灯スイッチ２８の導通時に各ＬＥＤ２４それぞれに点灯電流を供給するＬＥＤ駆動電源３０とを備える。この場合、図示を略するが、点灯電流の大きさを調整することにより、発光輝度を変化させてもよい。
【００２９】
鏡板１２は、ガラスまたはアクリル樹脂等の透明材からなり、内部に網状ないしは格子状に線状材３２が設けられている。この線状材３は柵状、蛇行状、その他の形状で鏡板１２内に設けることができる。線状材３２は鏡板１２の装飾材とすることができる一方、光反射部Ａを構成するものである。線状材３２は装飾材とするため、各種パターンに形成することができる。線状材３２の材質は、光反射性ないしは拡散性に優れた材料が好ましく、例えばステンレス鋼やアルミニウムあるいは樹脂等を用いることができる。
【００３０】
図３および図４を参照して動作を説明する。
【００３１】
図３（ａ）、図３（ｂ）は図２の（３）−（３）線に沿う断面図である。
【００３２】
図３（ａ）はＬＥＤ２４が消灯状態のときの鏡板１２内部の状態を示す。図４（ａ）は図３（ａ）の消灯状態での扉１８を前方側から見た状態を示す。
【００３３】
図３（ｂ）はＬＥＤ２４が点灯状態のときの鏡板１２内部での光照射および反射状態を示す。図４（ｂ）は図３（ｂ）の点灯状態での扉１８を前方側から見た状態を示す。
【００３４】
制御装置２６により光照射装置２０のＬＥＤ２４が図３（ａ）で示すように消灯しているときは、扉１８前方側から見たカップボード１０内部は図４（ａ）で示すように食器等の物品３４を視認することができる。制御装置２６により光照射装置２０のＬＥＤ２４が図３（ｂ）で示すように点灯しているときは、扉前方側から見たカップボード１０内部は図４（ｂ）で示すように食器等の物品３４を視認することができないか、視認しにくくなっている。図３（ｂ）でＡは線状材３２からなる光反射部、Ｂは照射光、Ｃは反射光を示す。
【００３５】
以上により、光照射装置２０のＬＥＤ２４からの照射光Ｂは鏡板１２内部の線状材３２で扉前方側に拡散反射され、扉前方側の人はその拡散反射光Ｃによりカップボード１０内部の物品３４を視認することができないか、視認しにくい。例えば昼間の自然光がカップボード１０の内部に入り込み、カップボード１０内部で扉前方側に反射してくる光よりも上記ＬＥＤ２４から照射され光反射部Ａである線状材３２で扉前方側に反射した光Ｃの輝度の方が大きいために、扉前方側の人はその拡散反射光Ｃによりカップボード１０内部の物品３４を視認することができないか、視認しにくい。
【００３６】
図５を参照して光反射部Ａとして線状材３２の各種断面形状を説明すると、図５（ａ）は半円形であり、図５（ｂ）は多角形である三角形であり、図５（ｃ）は断面鋸歯状の波形である。半円形ではない非円形として半楕円形やその他も含むことができる。また、三角形ではなく四角形や台形等の他の多角形も含むことができる。
【００３７】
図示を略しているが、線状材３１ではなく、点状材を鏡板１２内部に配置することができる。この点状材としては、照射光を扉前方側に反射される断面形状であればよく、例えば、半円形状、半楕円形状、三角形状、四角形や台形等の多角形状、その他の形状において曲面部分や多角面部分を扉前方側に向けた状態で点状材を配置可能であるが、曲面を有する形状が、光を四方に反射するので、望ましい。
【００３８】
点状材の大きさは限定されない。線状材と点状材の組み合わせを含むことができる。
【００３９】
図６を参照して光反射部Ａの他の例を説明する。
【００４０】
図６（ａ）は鏡板１２の表面に光反射部Ａとして複数の凹部３６を設けた例を示す。この凹部３６の形状は、断面矩形であるが、断面Ｖの字形状、断面Ｕの字形状でもよい。あるいは、これら各種凹部形状の組み合わせでもよい。
【００４１】
図６（ｂ）は鏡板１２の表面に光反射部Ａとして複数の凸部３８を設けた例を示す。この凸部３８の形状は、断面山形であるが、断面矩形状、その他の形状でもよい。あるいは、これら各種凸部形状の組み合わせでもよい。
【００４２】
図６（ｃ）は鏡板１２の裏面に光反射部Ａとして複数の凹部４０を設けた例を示す。この凹部４０の形状は、断面矩形であるが、断面Ｖの字形状、断面Ｕの字形状でもよい。あるいは、これら各種凹部形状の組み合わせでもよい。
【００４３】
図６（ｄ）は鏡板１２の裏面に光反射部Ａとして複数の凸部４２を設けた例を示す。この凸部４２の形状は、断面山形であるが、断面矩形状、その他の形状でもよい。あるいは、これら各種凸部形状の組み合わせでもよい。なお、図示を略するが、鏡板１２の表裏面に上記凹凸の組み合わせを設けてもよい。また、鏡板１２の表裏面の一方に光拡散シートを設けてもよい。この光拡散シートでは扉前方側から見ると、透明性を有するとともに、ＬＥＤ２４で照射されると、その照射光を拡散することができるものである。
【００４４】
図６（ｅ）は、鏡板１２に多数の貫通孔４４を光反射部Ａとしてパンチング加工で形成したものである。
【００４５】
図７を参照して光照射装置２０においてＬＥＤ２４の配置位置を説明する。図７（ａ）はＬＥＤ２４を鏡板１２の内部に向けて、図７（ｂ）はＬＥＤ２４を鏡板１２の表面に向けて、図７（ｃ）はＬＥＤ２４を鏡板１２の裏面に向けて光を照射しえる位置に配置した例を示す。
【００４６】
図７（ａ）では図３のように鏡板１２内部に線状材３２や点状材が設けられており、ＬＥＤ２４の照射光Ｂを鏡板１２の側面側からその内部に入射させ、その線状材３２や点状材等に照射可能としている。
【００４７】
図７（ｂ）では図６（ａ）（ｂ）のように鏡板１２表面に凸部や凹部３６等の光反射部Ａがあり、ＬＥＤ２４の照射光Ｂを鏡板１２の表面の凸部や凹部３６等の光反射部Ａに向けて照射可能としている。
【００４８】
図７（ｃ）では図６（ｃ）（ｄ）のように鏡板１２裏面に凸部や凹部４０等の光反射部Ａがあり、ＬＥＤ２４の照射光Ｂを鏡板１２の裏面の凸部や凹部４０等の光反射部Ａに向けて照射可能としている。
【００４９】
図７（ａ）−図７（ｃ）のいずれも図６（ｅ）の貫通孔４４を光反射部Ａとすることができる。
【００５０】
また、光照射装置２０においてＬＥＤ２４は、図８の（ａ）もしくは（ｂ）に図示するように設置してもよい。図８の（ａ）および（ｂ）の例では、鏡板１２の両側に該鏡板１２より厚みのある縦框部材１４（横框部材でもよい）が設けられている。図８の（ａ）の例では、縦框部材１４の内側側面にＬＥＤ２４が、断面ほぼＬ字形の保持部材２４ｂを介して取り付けられ、ＬＥＤ２４の光が鏡板１２の表面もしくは裏面に向けて照射されるようになっている。縦框部材１４には、ＬＥＤ２４の駆動電源線２４ａを引き出すための孔１４ｂが形成されている。図８の（ｂ）の例では、縦框部材１４の内側側面の内部にＬＥＤ２４が、上記と同様の保持部材２４ｂを介して埋め込まれており、ＬＥＤ２４の光が鏡板１２の表面もしくは裏面に向けて照射されるようになっている。
【００５１】
図９を参照して光照射装置２０においてＬＥＤ２４の照射光Ｂの照射範囲（角度θで示す）を説明する。
【００５２】
図９（ａ）は、２個のＬＥＤ２４で鏡板１２全体を照射可能としたものである。ＬＥＤ２４は光の照射の指向性が高いために、ＬＥＤ２４の設置個数が鏡板１２の面積に比較して少ないと、鏡板１２全体を照射しにくくなる。そこで、両ＬＥＤ２４それぞれの前方に照射光を広がらせる図示略のレンズ機構を配置し、両ＬＥＤ２４それぞれの照射光Ｂが鏡板１２上で重複するように設定することにより、２個のＬＥＤ２４で鏡板１２全体を照射可能とすることができる。
【００５３】
図９（ｂ）は１個のＬＥＤ２４で鏡板１２全体を照射可能としたものである。この場合も、ＬＥＤ２４の前方に図示略の照射光Ｂを広がらせるレンズ機構を配置し、ＬＥＤ２４の照射光が鏡板１２全体を照射するように設定することにより、１個のＬＥＤ２４で鏡板１２全体を照射可能とすることができる。
【００５４】
図１０を参照して他の実施の形態を説明すると、上記実施の形態では光照射装置２０のＬＥＤ２４を縦框部材１４側面のＬＥＤ収納ケース２２に配置したが、横框部材１６に図示略のＬＥＤ収納ケースを取り付け、このＬＥＤ収納ケースにＬＥＤ２４を配置してもよい。
【００５５】
図１１を参照して他の実施の形態を説明すると、上記実施の形態では開き戸式の扉１８であったが、本発明はこの扉１８に限定されず、引き戸式の扉４８にも適用することができる。この実施の形態ではＬＥＤ２４を縦框部材１４と横框部材１６それぞれの側に取り付けて、上下左右のＬＥＤ２４から照射できるようになっている。
【００５６】
以上説明したように実施の形態によれば、上記実施の形態の扉を備えたカップボード等の家具を備えた部屋に来客を案内する場合、制御装置により光照射装置を作動状態にするだけで、カップボード等の家具内部の収納物品を来客から見えないか、あるいは見えにくくすることができる。
【図面の簡単な説明】
【００５７】
【図１】図１は本発明の実施の形態に係る扉を備えたカップボードの斜視図である。
【図２】図２は図１の要部を示す断面図である。
【図３】図３（ａ）は光照射装置が非作動時の図２の（３）−（３）線に沿う断面図、図３（ｂ）は光照射装置が作動時の図２の（３）−（３）線に沿う断面図である。
【図４】図４（ａ）は図３（ａ）の消灯状態での扉を前方側から見た状態を示す図、図４（ｂ）は図３（ｂ）の点灯状態での扉を前方側から見た状態を示す図である。
【図５】図５（ａ）は光反射部である線状材の断面構成例を示す図、図５（ｂ）は、光反射部である線状材の他の断面構成例を示す図、図５（ｃ）は、光反射部である線状材のさらに他の断面構成例を示す図である。
【図６】図６（ａ）は鏡板の表面に設けた光反射部の構成例を示す図、図６（ｂ）は鏡板の表面に設けた光反射部の他の構成例を示す図、図６（ｃ）は鏡板の裏面に設けた光反射部のさらに他の構成例を示す図、図６（ｄ）は鏡板の裏面に設けた光反射部のさらに他の構成例を示す図、図６（ｅ）は鏡板を貫通して設けた光反射部のさらに他の構成例を示す図である。
【図７】図７（ａ）は光照射装置のＬＥＤを鏡板の内部に向けて光を照射しえる位置に配置した例を示す図、図７（ｂ）は光照射装置のＬＥＤを鏡板の表面に向けて光を照射しえる位置に配置した例を示す図、図７（ｃ）は光照射装置のＬＥＤを鏡板の裏面に向けて光を照射しえる位置に配置した例を示す図である。
【図８】図８は、光照射装置のＬＥＤの設置の他の例を示す図で、図８（ａ）はＬＥＤを框部材の内側側面に設置した例を、図８（ｂ）はＬＥＤを框部材の内部に埋め込んだ例を、それぞれ示している。
【図９】図９（ａ）は、２個のＬＥＤで鏡板全体を照射可能とした光照射装置の例を示す図、図９（ｂ）は、１個のＬＥＤで鏡板全体を照射可能とした光照射装置の例を示す図である。
【図１０】図１０は本発明の他の実施の形態に係る扉を備えたカップボードの斜視図である。
【図１１】図１１は本発明のさらに他の実施の形態に係る扉を備えたカップボードの斜視図である。
【符号の説明】
【００５８】
１２  鏡板
１８  扉
２０  光照射装置
２４  ＬＥＤ
２６  制御装置
３２  線状材（光反射部Ａ）
【図１】
2008031640.tif 000003
【図２】
2008031640.tif 000004
【図３】
2008031640.tif 000005
【図４】
2008031640.tif 000006
【図５】
2008031640.tif 000007
【図６】
2008031640.tif 000008
【図７】
2008031640.tif 000009
【図８】
2008031640.tif 000010
【図９】
2008031640.tif 000011
【図１０】
2008031640.tif 000012
【図１１】
2008031640.tif 000013